(57)【要約】【課題】ＤＣ−ＤＣ電源からの放射ノイズによる電波干渉を低減する。【解決手段】ＤＣ−ＤＣコンバータによる電源回路を有する携帯端末装置において、外部同期型のＤＣ−ＤＣコンバータと、制御部からの制御により周波数を変更可能な外部同期クロック源と、受信感度抑圧の発生有無を検出する機能を有し、抑圧発生時にＤＣ−ＤＣコンバータの外部同期クロックを変更することによって受信感度抑圧を低減することを特徴とする。【選択図】図１
2010057120.tif 000002
【特許請求の範囲】
【請求項１】
無線通信を行うための無線部と、
前記無線部の受信感度抑圧の発生の有無を検出し、受信感度抑圧の発生時に周波数制御を行う制御部と、
前記制御部からの周波数制御に応じて、外部クロックの周波数を変更し、前記外部クロックを出力する周波数可変発振回路と、
電源回路に設けられ、前記外部クロックに応じて、自身が発生しているノイズ周波数を変更するＤＣ−ＤＣコンバータと
を具備し、
前記制御部は、前記無線部の受信感度抑圧の発生の有無を検出し、受信感度抑圧の発生時に前記ＤＣ−ＤＣコンバータに入力される外部クロックを変更するための周波数制御を行い、自律的に前記無線部の受信感度抑圧を低減する
携帯端末装置。
【請求項２】
請求項１に記載の携帯端末装置であって、
前記制御部は、前記無線部の受信感度抑圧の発生の有無を検出する際、前記無線部の通話品質及び受信レベルの各々について、閾値以下か否かチェックする
携帯端末装置。
【請求項３】
請求項２に記載の携帯端末装置であって、
前記制御部は、通話品質が閾値以下で、受信レベルが閾値以上であれば、受信感度抑圧の発生と判定し、周波数制御を行う
携帯端末装置。
【請求項４】
請求項１乃至３のいずれか一項に記載の携帯端末装置であって、
前記ＤＣ−ＤＣコンバータと同等の他のＤＣ−ＤＣコンバータ
を更に具備し、
前記周波数可変発振回路は、前記ＤＣ−ＤＣコンバータ及び前記他のＤＣ−ＤＣコンバータに、前記外部クロックを出力する
携帯端末装置。
【請求項５】
請求項１乃至４のいずれか一項に記載の携帯端末装置であって、
前記無線部と規格が異なる通信方式を利用する他の無線部
を更に具備し、
前記制御部は、前記無線部及び前記他の無線部の受信感度抑圧の発生の有無を検出し、前記無線部及び前記他の無線部のいずれか又は全てにおいて、受信感度抑圧の発生を検出した時に周波数制御を行う
携帯端末装置。
【請求項６】
携帯端末装置において実施される電波干渉低減方法であって、
無線通信を行うための無線部の受信感度抑圧の発生の有無を検出し、受信感度抑圧の発生時に周波数制御を行うステップと、
前記周波数制御に基づいて、外部クロックの周波数を変更し、周波数可変発振回路から前記外部クロックを出力するステップと、
前記外部クロックに基づいて、電源回路に設けられたＤＣ−ＤＣコンバータが発生しているノイズ周波数を変更し、自律的に前記無線部の受信感度抑圧を低減するステップと
を含む
電波干渉低減方法。
【請求項７】
請求項６に記載の電波干渉低減方法であって、
前記無線部の受信感度抑圧の発生の有無を検出する際、前記無線部の通話品質及び受信レベルの各々について、閾値以下か否かチェックするステップ
を更に含む
電波干渉低減方法。
【請求項８】
請求項７に記載の電波干渉低減方法であって、
通話品質が閾値以下で、受信レベルが閾値以上であれば、受信感度抑圧の発生と判定し、周波数制御を行うステップ
を更に含む
電波干渉低減方法。
【請求項９】
請求項６乃至８のいずれか一項に記載の電波干渉低減方法であって、
前記ＤＣ−ＤＣコンバータ及び、前記ＤＣ−ＤＣコンバータと同等の他のＤＣ−ＤＣコンバータに対して、前記周波数可変発振回路から前記外部クロックを出力するステップ
を更に含む
電波干渉低減方法。
【請求項１０】
請求項６乃至９のいずれか一項に記載の電波干渉低減方法であって、
前記無線部及び、前記無線部と規格が異なる通信方式を利用する他の無線部について、受信感度抑圧の発生の有無を検出し、前記無線部及び前記他の無線部のいずれか又は全てにおいて、受信感度抑圧の発生を検出した時に周波数制御を行うステップ
を更に含む
電波干渉低減方法。
【請求項１１】
無線通信を行うための無線部の受信感度抑圧の発生の有無を検出し、受信感度抑圧の発生時に周波数制御を行うステップと、
前記周波数制御に基づいて、外部クロックの周波数を変更し、周波数可変発振回路から前記外部クロックを出力するステップと、
前記外部クロックに基づいて、電源回路に設けられたＤＣ−ＤＣコンバータが発生しているノイズ周波数を変更し、自律的に前記無線部の受信感度抑圧を低減するステップと
を携帯端末装置に実行させるための
プログラム。
【請求項１２】
請求項１１に記載のプログラムであって、
前記無線部の受信感度抑圧の発生の有無を検出する際、前記無線部の通話品質及び受信レベルの各々について、閾値以下か否かチェックするステップ
を更に携帯端末装置に実行させるための
プログラム。
【請求項１３】
請求項１２に記載のプログラムであって、
通話品質が閾値以下で、受信レベルが閾値以上であれば、受信感度抑圧の発生と判定し、周波数制御を行うステップ
を更に携帯端末装置に実行させるための
プログラム。
【請求項１４】
請求項１１乃至１３のいずれか一項に記載のプログラムであって、
前記ＤＣ−ＤＣコンバータ及び、前記ＤＣ−ＤＣコンバータと同等の他のＤＣ−ＤＣコンバータに対して、前記周波数可変発振回路から前記外部クロックを出力するステップ
を更に携帯端末装置に実行させるための
プログラム。
【請求項１５】
請求項１１乃至１４のいずれか一項に記載のプログラムであって、
前記無線部及び、前記無線部と規格が異なる通信方式を利用する他の無線部について、受信感度抑圧の発生の有無を検出し、前記無線部及び前記他の無線部のいずれか又は全てにおいて、受信感度抑圧の発生を検出した時に周波数制御を行うステップ
を更に携帯端末装置に実行させるための
プログラム。
【発明の詳細な説明】
【技術分野】
【０００１】
本発明は、携帯端末装置に関し、特に電源ノイズによる電波干渉を抑制した携帯端末装置に関する。
【背景技術】
【０００２】
携帯電話装置等の携帯端末装置の電源回路に採用されているＤＣ−ＤＣコンバータ（ＤＣ／ＤＣコンバータ）では、電源回路が発生するノイズによって、感度抑圧等の受信妨害が発生する場合がある。この傾向は、携帯端末装置の小型化、薄型化、多機能化に伴い、高まっている。
【０００３】
一般的に使用されている自励方式のＤＣ−ＤＣコンバータは、発振周波数が変動し発生するノイズ帯域が広いため、受信感度抑圧を発生し易く、シールドケース等のノイズ対策を行っても、感度抑圧が問題となる場合がある。
【０００４】
また、この自励方式のＤＣ−ＤＣコンバータは、感度抑圧の発生状況が刻々と変化し、個体差も大きいため、数が多くなるとノイズ対策が困難であるという問題点もある。
【０００５】
そのため、携帯端末装置では外部同期機能を持ったＤＣ−ＤＣコンバータが使用される場合がある。この方式では、ＤＣ−ＤＣコンバータの発振周波数が一定で、発生するノイズ帯域も狭いため、感度抑圧が発生し難く、発生した場合でも感度抑圧の発生状態が安定しているため、対策が可能であるという利点があるが、受信帯域内全ての感度抑圧を回避することは困難である。
【０００６】
関連する技術として、特開２００１−０１６８４８号公報（特許文献１）にスイッチング電源装置が開示されている。
この関連技術では、アンテナと高周波回路と混合回路と局部発振回路と中間周波回路とで構成される受信部の出力のノイズ成分をハイパスフィルタで抽出し、ピークホールド回路でホールドし、コンパレータで基準電圧源の出力と比較する。ノイズ成分が多くコンパレータが作動したときにスイッチがオンされ、負荷抵抗がスイッチング電源に接続され付加電流が増大する。これにより、スイッチング電源におけるスイッチング周波数が高くなるように制御され、ノイズ成分が抑えられる。
【０００７】
また、特開２００７−２２８４４０号公報（特許文献２）に電源組込型電力線通信装置が開示されている。
この関連技術では、電源組込型電力線通信装置は、電力線に接続可能で交流電圧を直流電圧に変換しスイッチング周波数に基づいて出力電圧を制御するＤＣ電源と、電力線に接続可能で電力線を介してデータの通信を行う電力線通信部とを備える。電力線通信部は、データを複数のサブキャリアに分けて複数のキャリア周波数で通信する機能を有している。ＤＣ電源は、スイッチング周波数の整数倍の周波数がキャリア周波数における通信品質を劣化させる周波数範囲内に含まれる際に、該周波数範囲内から前記スイッチング周波数の整数倍の周波数が外れるようにスイッチング周波数をずらす制御部Ｃを有している。
【０００８】
また、特開平１１−０４１１２４号公報（特許文献３）に無線装置が開示されている。
この関連技術では、装置内の発振器（ＶＣＯ４）の出力周波数を動作可能範囲で可変させ、これに対応して検出される受信電界レベルが所定のしきい値を超えるか否かを判断し、感度抑圧を与えない発振器の出力周波数を選出して設定する。これにより、発振器出力の高調波成分廻り込みによる感度抑圧の防止を図っている。
【０００９】
【特許文献１】特開２００１−０１６８４８号公報
【特許文献２】特開２００７−２２８４４０号公報
【特許文献３】特開平１１−０４１１２４号公報
【発明の開示】
【発明が解決しようとする課題】
【００１０】
自励方式のＤＣ−ＤＣコンバータは、感度抑圧等の電波妨害を発生し易いという問題がある。その理由は、発振周波数が変動し発生するノイズ帯域が広いためである。
【００１１】
また、上記問題点を解決するため、外部同期型のＤＣ−ＤＣコンバータが実用化されている。この方式では、ノイズ帯域を狭くできるため、感度抑圧等の電波妨害が発生する確率を低減できるが、移動体通信で使用される全ての帯域を回避できるわけではなく、特定のチャネルで発生する感度抑圧は回避できない。
【００１２】
また、多機能化が進む携帯端末装置には、多数のＤＣ−ＤＣコンバータやクロック回路が混在しているため、動作状況によって、多数の発振周波数の組み合わせによって新たに生成される受信抑圧や、外部ノイズ（影響度の高い例として、放送電波等）との組み合わせによって発生する受信抑圧も懸念される。その理由は、抑圧を検知して回避する機能を持たないためである。
【００１３】
従って、ＤＣ−ＤＣコンバータによる電源回路を有する携帯端末装置において、ＤＣ−ＤＣコンバータの放射するノイズによる受信感度抑圧が発生する場合があり、端末の小型化、薄型化、更には多機能化によって、効果的にＤＣ−ＤＣコンバータのノイズによる受信感度抑圧を低減することが望まれている。
【００１４】
本発明の目的は、ＤＣ−ＤＣ電源からの放射ノイズ（電源ノイズ）による電波干渉を低減する携帯端末装置、電波干渉低減方法、及びプログラムを提供することである。
【課題を解決するための手段】
【００１５】
本発明の携帯端末装置は、無線通信を行うための無線部と、無線部の受信感度抑圧の発生の有無を検出し、受信感度抑圧の発生時に周波数制御を行う制御部と、制御部からの周波数制御に応じて、外部クロックの周波数を変更し、外部クロックを出力する周波数可変発振回路と、電源回路に設けられ、外部クロックに応じて、自身が発生しているノイズ周波数を変更するＤＣ−ＤＣコンバータとを具備する。制御部は、無線部の受信感度抑圧の発生の有無を検出し、受信感度抑圧の発生時にＤＣ−ＤＣコンバータに入力される外部クロックを変更するための周波数制御を行い、自律的に無線部の受信感度抑圧を低減する。
【００１６】
本発明の電波干渉低減方法は、携帯端末装置において実施される電波干渉低減方法であって、無線通信を行うための無線部の受信感度抑圧の発生の有無を検出し、受信感度抑圧の発生時に周波数制御を行うステップと、周波数制御に基づいて、外部クロックの周波数を変更し、周波数可変発振回路から外部クロックを出力するステップと、外部クロックに基づいて、電源回路に設けられたＤＣ−ＤＣコンバータが発生しているノイズ周波数を変更し、自律的に無線部の受信感度抑圧を低減するステップとを含む。
【００１７】
本発明のプログラムは、無線通信を行うための無線部の受信感度抑圧の発生の有無を検出し、受信感度抑圧の発生時に周波数制御を行うステップと、周波数制御に基づいて、外部クロックの周波数を変更し、周波数可変発振回路から外部クロックを出力するステップと、外部クロックに基づいて、電源回路に設けられたＤＣ−ＤＣコンバータが発生しているノイズ周波数を変更し、自律的に無線部の受信感度抑圧を低減するステップとを携帯端末装置に実行させるためのプログラムである。
【発明の効果】
【００１８】
ＤＣ−ＤＣコンバータの発生するノイズによる受信感度抑圧を効果的に軽減できる。その理由は、抑圧発生時にＤＣ−ＤＣコンバータの動作周波数を自律的に変更することができるからである。
【発明を実施するための最良の形態】
【００１９】
以下に、本発明の第１実施形態について添付図面を参照して説明する。
図１に、本発明の第１実施形態の携帯端末装置の基本構成例を示す。
本実施形態の携帯端末装置は、無線部１１と、制御部１２と、周波数可変発振回路１３と、ＤＣ−ＤＣコンバータ１４を備える。
【００２０】
ここでは、携帯端末装置の例として、携帯電話装置を想定している。他にも、携帯端末装置の例として、ＰＤＡ（Ｐｅｒｓｏｎａｌ  Ｄｉｇｉｔａｌ  Ａｓｓｉｓｔａｎｔｓ）、モバイルノートＰＣ（パソコン）、カーナビ（カーナビゲーションシステム）、携帯ゲーム機、携帯音楽プレーヤー、ハンディターミナル、又は同様の無線通信機能を有する電子機器等が考えられる。但し、実際には、これらの例に限定されない。
【００２１】
無線部１１は、無線通信により外部との通信を行う。ここでは、無線部１１は、携帯電話網を介して外部と通信するためのアンテナである。
【００２２】
他にも、無線部１１の例として、ＮＩＣ（Ｎｅｔｗｏｒｋ  Ｉｎｔｅｒｆａｃｅ  Ｃａｒｄ）等のネットワークアダプタや、接続口（コネクタ）等の通信ポート等が考えられる。また、無線部１１が利用する通信回線の例として、携帯電話網、ＷｉＭＡＸ、３Ｇ（第３世代携帯電話）、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、専用線、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線等が考えられる。但し、実際には、これらの例に限定されない。
【００２３】
制御部１２は、無線部１１の受信品質（ＲＳＣＰ（Ｒｅｃｅｉｖｅｄ  Ｓｉｇｎａｌ  Ｃｏｄｅ  Ｐｏｗｅｒ：希望波受信電力）等）と、受信レベル（ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度表示信号）等）を監視し、受信抑圧の有無を検出する。制御部１２は、抑圧発生時に周波数制御を行う。ここでは、制御部１２は、抑圧発生時に、周波数制御命令（或いは、周波数制御信号）を出力する。また、制御部１２は、無線部１１の無線通信の制御（無線制御）を行う。
【００２４】
制御部１２の例として、ＣＰＵ（Ｃｅｎｔｒａｌ  Ｐｒｏｃｅｓｓｉｎｇ  Ｕｎｉｔ）やマイクロプロセッサ（ｍｉｃｒｏｐｒｏｃｅｓｓｏｒ）等の処理装置、又は同様の機能を有する半導体集積回路（Ｉｎｔｅｇｒａｔｅｄ  Ｃｉｒｃｕｉｔ（ＩＣ））等が考えられる。なお、制御部１２は、所定の機能をコンピュータに実行させるためのプログラムでも良い。但し、実際には、これらの例に限定されない。
【００２５】
周波数可変発振回路１３は、制御部１２からの制御により、ＤＣ−ＤＣコンバータ１４を動作させるための発振周波数を変更する。ここでは、周波数可変発振回路１３は、制御部１２からの周波数制御命令に応じて、ＤＣ−ＤＣコンバータ１４に外部クロックを出力する外部同期クロック源である。すなわち、周波数可変発振回路１３は、周波数制御命令に応じて、クロック信号を出力する出力回路であれば良い。ここでは、外部クロックは、外部同期クロックである。但し、実際には、これらの例に限定されない。
【００２６】
ＤＣ−ＤＣコンバータ１４は、周波数可変発振回路１３からの外部クロックに応じて、自身が発生しているノイズ周波数を変更する。ここでは、ＤＣ−ＤＣコンバータ１４は、外部同期型ＤＣ−ＤＣコンバータとする。但し、実際には、これらの例に限定されない。
【００２７】
制御部１２は、受信抑圧を検出した場合、ＤＣ−ＤＣコンバータ１４への外部発振周波数（外部クロック）を変更し、ＤＣ−ＤＣコンバータ１４が発生するノイズ周波数を変更するための処理を行う。
【００２８】
図２に、受信感度抑圧の有無の判定例（受信感度抑圧判定例）を示す。
この受信感度抑圧判定例では、「通話品質」と、「受信レベル」と、「判定」の関係を示している。ここでは、通話品質が「閾値以下」で、受信レベルが「閾値以下」であれば、判定は「感度抑圧なし（弱電界）」となる。通話品質が「閾値以下」で、受信レベルが「閾値以上」であれば、判定は「感度抑圧発生」となる。通話品質が「閾値以上」で、受信レベルが「閾値以下」であれば、判定は「感度抑圧なし（弱電界）」となる。通話品質が「閾値以上」で、受信レベルが「閾値以上」であれば、判定は「感度抑圧なし（強電界）」となる。このとき、通話品質や受信レベルが、閾値と同じである場合は、閾値以下とする。或いは、閾値以上としても良い。なお、受信感度抑圧の有無の判定は、制御部１２により行われるものとする。
【００２９】
図２において、「閾値」は最適な値を決定する必要があるが、本発明では言及しない。例えば、受信レベルが十分高いにも関わらず、通話品質が悪い場合には、感度抑圧発生と判定できる。
【００３０】
図３に、本発明による制御フロー例を示す。
【００３１】
（１）ステップＳ１０１
制御部１２は、無線部１１が通信を開始しているかチェック（確認）する。なお、制御部１２は、無線部１１が通信を開始した際に、起動（処理を開始）するようにしても良い。
【００３２】
（２）ステップＳ１０２
制御部１２は、通信品質の劣化が無いかチェックする。ここでは、制御部１２は、無線部１１に対して、通信品質チェックと、受信レベルチェックを行う。これにより、制御部１２は、通話品質や受信レベルが閾値以下か否かチェックする。
【００３３】
（３）ステップＳ１０３
制御部１２は、通信品質チェックや受信レベルチェックの結果に基づいて、受信感度抑圧の有無の判定を行う。
【００３４】
（４）ステップＳ１０４
制御部１２は、受信感度抑圧が無いと判定した場合、現状を維持する。
【００３５】
（５）ステップＳ１０５
制御部１２は、受信感度抑圧が有ると判定した場合、周波数可変発振回路１３が出力する周波数の候補が残っているかチェックする。
【００３６】
（６）ステップＳ１０６
制御部１２は、周波数の候補が残っていない場合、周波数可変発振回路１３の出力を、初期状態（ｄｅｆａｕｌｔ）の周波数に設定する。
【００３７】
（７）ステップＳ１０７
制御部１２は、周波数の候補が残っている場合、周波数可変発振回路１３の出力を、残りの候補から選択された周波数に設定する。
【００３８】
（８）ステップＳ１０８
制御部１２は、周波数可変発振回路１３に対して、設定された周波数を出力するように制御し、ＤＣ−ＤＣコンバータ１４の外部同期周波数を変更し、ＤＣ−ＤＣコンバータが発生するノイズ周波数を変更する。このとき、制御部１２は、周波数可変発振回路１３に周波数制御命令を出力する。周波数可変発振回路１３は、周波数制御命令に応じて、設定された周波数の外部クロックを出力する。ＤＣ−ＤＣコンバータ１４は、外部クロックに応じて、ＤＣ−ＤＣコンバータが発生するノイズ周波数を変更する。
【００３９】
（９）ステップＳ１０９
制御部１２は、無線部１１が通信を終了するまで、上記の処理を繰り返す。このとき、制御部１２は、無線部１１が通信を行っている間、所定の間隔で上記の処理を繰り返すようにしても良い。
【００４０】
図３に示す制御により、受信感度抑圧発生時にはＤＣ−ＤＣコンバータの外部同期周波数が自動的に変更され、抑圧が改善した時点の外部同期周波数が維持される。
【００４１】
このように、本発明では、外部同期型のＤＣ−ＤＣコンバータを採用し、受信感度抑圧発生時には自立的にＤＣ−ＤＣコンバータの外部同期クロックを変更し、最適な外部同期クロックを選択する。
【００４２】
以下に、本発明の第２実施形態について説明する。
本発明の第２実施形態として、ＤＣ−ＤＣコンバータを複数搭載する事例が考えられる。本発明は、ＤＣ−ＤＣコンバータを複数搭載する携帯端末装置において、更に高い効果が期待できる。この場合、同一の外部同期クロックを複数のＤＣ−ＤＣコンバータで共用する方法はもちろん、ＤＣ−ＤＣコンバータ毎に異なる外部クロックを用意しても問題ない。
【００４３】
例えば、図４に示すように、複数のＤＣ−ＤＣコンバータ１４（１４−ｉ、ｉ＝１〜ｎ：ｎは任意）の各々に対して、同一の周波数可変発振回路１３から同一の外部クロックを出力する。この場合、複数のＤＣ−ＤＣコンバータ１４（１４−ｉ、ｉ＝１〜ｎ）の各々は、均一に同一の外部クロックを入力することになる。
【００４４】
或いは、図５に示すように、複数のＤＣ−ＤＣコンバータ１４（１４−ｉ、ｉ＝１〜ｎ）の各々に対して、同一の周波数可変発振回路１３から異なる外部クロックを出力する。この場合、複数のＤＣ−ＤＣコンバータ１４（１４−ｉ、ｉ＝１〜ｎ）の各々は、それぞれ個別に外部クロックを入力することが可能になる。
【００４５】
更に、複数のＤＣ−ＤＣコンバータに対する外部クロックを、複数の周波数可変発振回路から出力する事例も考えられる。
【００４６】
例えば、図６に示すように、複数のＤＣ−ＤＣコンバータ１４（１４−ｉ、ｉ＝１〜ｎ）の各々に対して、対応する周波数可変発振回路１３（１３−ｉ，ｉ＝１〜ｎ）から、それぞれ外部クロックを出力する。この場合、複数のＤＣ−ＤＣコンバータ１４（１４−ｉ、ｉ＝１〜ｎ）の各々は、個別に外部クロックを入力する。ここでは、周波数可変発振回路１３（１３−ｉ，ｉ＝１〜ｎ）の各々は、制御部１２からの同一の周波数制御に応じて、同時に外部クロックを出力する。
【００４７】
或いは、図７に示すように、複数のＤＣ−ＤＣコンバータ１４（１４−ｉ、ｉ＝１〜ｎ）の各々に対して、同一の周波数可変発振回路１３から異なる外部クロックを出力する。この場合、複数のＤＣ−ＤＣコンバータ１４（１４−ｉ、ｉ＝１〜ｎ）の各々は、個別に外部クロックを入力する。ここでは、周波数可変発振回路１３（１３−ｉ，ｉ＝１〜ｎ）の各々は、制御部１２からの個別の周波数制御に応じて、それぞれ個別に外部クロックを出力する。
【００４８】
このとき、周波数可変発振回路とＤＣ−ＤＣコンバータは同数であると好適である。但し、実際には、これらの例に限定されない。例えば、複数のＤＣ−ＤＣコンバータのうちいくつかは、同一の周波数可変発振回路からの外部クロックを入力するようにしても良い。
【００４９】
以下に、本発明の第３実施形態について説明する。
本発明の第３実施形態として、無線部を複数搭載する事例が考えられる。例えば、複数の無線部の各々が、それぞれ規格の異なる通信方式を利用している場合が考えられる。このとき、複数の無線部のうち少なくとも１つについて受信感度抑圧が発生した場合に、受信感度抑圧を低減するようにしても良い。或いは、複数の無線部の全てについて受信感度抑圧が発生した場合に、均一に受信感度抑圧を低減するようにしても良い。
【００５０】
例えば、図８に示すように、制御部１２は、複数の無線部１１（１１−ｉ、ｉ＝１〜ｍ：ｍは任意）の各々について、通信品質の劣化が無いかチェックする。ここでは、制御部１２は、複数の無線部１１（１１−ｉ、ｉ＝１〜ｍ）の各々に対して、通信品質チェックと、受信レベルチェックを行う。このとき、制御部１２は、複数の無線部１１（１１−ｉ、ｉ＝１〜ｍ）のうちいずれか１つでも、通話品質が「閾値以下」で、受信レベルが「閾値以上」であれば、受信感度抑圧を低減するようにしても良い。或いは、制御部１２は、複数の無線部１１（１１−ｉ、ｉ＝１〜ｍ）のうちいずれか１つでも、通話品質が「閾値以下」で、受信レベルが「閾値以上」で無ければ、受信感度抑圧が無いと判定し、現状を維持するようにしても良い。
【００５１】
なお、上記の各実施形態は、組み合わせて実施することも可能である。
【００５２】
本発明の特徴について説明する。
本発明では、ＤＣ−ＤＣコンバータによる電源回路を有する携帯端末装置において、外部同期型のＤＣ−ＤＣコンバータと、制御部からの制御により周波数を変更可能な外部同期クロック源と、受信感度抑圧の発生有無を検出する機能を有し、抑圧発生時にＤＣ−ＤＣコンバータの外部同期クロックを変更することによって受信感度抑圧を低減することを特徴とする。
【００５３】
本発明の携帯端末装置は、受信感度抑圧の有無を判定し、抑圧発生時にＤＣ−ＤＣコンバータの外部同期クロックを変更して、自律的に受信感度抑圧を改善する機能を有する。
【００５４】
また、本発明の携帯端末装置は、外部同期型のＤＣ−ＤＣコンバータにおいて、制御部からの制御により発振周波数を変更可能な外部発振回路を具備する。
【００５５】
また、本発明の携帯端末装置は、無線部の受信品質（ＲＳＣＰ等）と、受信レベル（ＲＳＳＩ等）を監視し、受信抑圧の有無を検出する機能を具備する。
【００５６】
また、本発明の携帯端末装置は、受信抑圧を検出した場合に、ＤＣ−ＤＣコンバータの外部発振周波数を変更し、ＤＣ−ＤＣコンバータが発生するノイズ周波数を変更することができる機能を具備する。
【００５７】
また、本発明の携帯端末装置は、上記の機能の組み合わせによって、ＤＣ−ＤＣコンバータの発振周波数を変化させながら受信抑圧の有無を検出し、受信抑圧の発生しない外部同期周波数を自律的に選択する機能を実現する。
【００５８】
これにより、本発明の携帯端末装置では、制御部からの制御により、ＤＣ−ＤＣコンバータの動作周波数を変更することにより、ＤＣ−ＤＣコンバータが発生するノイズ周波数を変える事ができる。
【００５９】
また、本発明の携帯端末装置は、無線部の受信品質（ＲＳＣＰ等）と、受信レベル（ＲＳＳＩ等）を監視し、受信抑圧の有無を検出する機能により、現在のＤＣ−ＤＣコンバータ動作周波数で抑圧が発生しているか否かの判定ができる。
【００６０】
また、本発明の携帯端末装置は、受信抑圧を検出した場合に、ＤＣ−ＤＣコンバータの外部発振周波数を変更し、ＤＣ−ＤＣコンバータが発生するノイズ周波数を変更することができることにより、自律的に最適なＤＣ−ＤＣコンバータの外部発振周波数を選ぶことができる。
【００６１】
また、本発明の携帯端末装置は、受信抑圧の発生しない外部同期周波数を自律的に選択する機能により、予期せぬ外部ノイズ等との組み合わせで、受信感度抑圧が発生した場合でも、効果的に受信感度抑圧を回避することができる。
【００６２】
以上、本発明の実施形態を詳述してきたが、実際には上記の実施形態に限られるものではなく、本発明の要旨を逸脱しない範囲の変更があっても本発明に含まれる。
【図面の簡単な説明】
【００６３】
【図１】図１は、本発明の第１実施形態の携帯端末装置の基本構成例を示す図である。
【図２】図２は、受信感度抑圧の有無の判定例（受信感度抑圧判定例）を示す図である。
【図３】図３は、本発明における制御の例を示すフローチャートである。
【図４】図４は、本発明の第２実施形態の携帯端末装置の第１の基本構成例を示す図である。
【図５】図５は、本発明の第２実施形態の携帯端末装置の第２の基本構成例を示す図である。
【図６】図６は、本発明の第２実施形態の携帯端末装置の第３の基本構成例を示す図である。
【図７】図７は、本発明の第２実施形態の携帯端末装置の第４の基本構成例を示す図である。
【図８】図８は、本発明の第３実施形態の携帯端末装置の基本構成例を示す図である。
【符号の説明】
【００６４】
１１（−ｉ、ｉ＝１〜ｍ）…  無線部
１２…  制御部
１３（−ｉ、ｉ＝１〜ｎ）…  周波数可変発振回路
１４（−ｉ、ｉ＝１〜ｎ）…  ＤＣ−ＤＣコンバータ
【図１】
2010057120.tif 000003
【図２】
2010057120.tif 000004
【図３】
2010057120.tif 000005
【図４】
2010057120.tif 000006
【図５】
2010057120.tif 000007
【図６】
2010057120.tif 000008
【図７】
2010057120.tif 000009
【図８】
2010057120.tif 000010